(57)【要約】【課題】電気炉から排出される排ガスを集塵機で濾過した際に生じるダストに含まれるダイオキシン類を無害化するとともに、分級器による分級を効率よく行うことができるようにした電気炉ダストのリサイクル方法を提供すること。【解決手段】電気炉Ｘから排出される排ガスを集塵機Ｓで濾過し、集塵機Ｓから排出されるダストを分級器Ｂによって酸化鉄等を含む高密度のダストと亜鉛等を含む低密度のダストとに分級して、酸化鉄等を含む高密度のダストを電気炉Ｘに戻す電気炉ダストのリサイクル方法であって、集塵機Ｓから排出されるダストをマイクロ波処理装置１によって加熱処理し、その後、分級器に送るようにする。【選択図】図１
2008101826.tif 000002
【特許請求の範囲】
【請求項１】
電気炉から排出される排ガスを集塵機で濾過し、該集塵機から排出されるダストを分級器によって酸化鉄等を含む高密度のダストと亜鉛等を含む低密度のダストとに分級して、前記酸化鉄等を含む高密度のダストを電気炉に戻す電気炉ダストのリサイクル方法であって、前記集塵機から排出されるダストをマイクロ波処理装置によって加熱処理し、その後、分級器に送ることを特徴とする電気炉ダストのリサイクル方法。
【発明の詳細な説明】
【技術分野】
【０００１】
本発明は、電気炉ダストのリサイクル方法に関し、特に、電気炉から排出される排ガスを集塵機で濾過し、該集塵機から排出されるダストを分級器によって酸化鉄等を含む高密度のダストと亜鉛等を含む低密度のダストとに分級して、前記酸化鉄等を含む高密度のダストを電気炉に戻す電気炉ダストのリサイクル方法の改良に関するものである。
【背景技術】
【０００２】
従来、電気炉から排出される排ガスに含まれる電気炉ダストのリサイクル方法として、例えば、図３に示すフローによる方法が採用されている。
この従来の電気炉ダストのリサイクル方法は、電気炉Ｘから排出されるダストを含む排ガスを吸引ファンＦによって、ガスクーラ（図示省略）を介して集塵機Ｓ（例えば、バグ式集塵機等）に導入し、集塵機Ｓから排出されるダストを分級器Ｂに搬送し、分級器Ｂによって酸化鉄等を含む高密度のダストと亜鉛等を含む低密度のダストとに分級し、酸化鉄等を含む高密度のダストを、造粒機Ｐでペレット化し、適宜手段、例えば、コンベアによって電気炉Ｘに戻すようにしている。
【０００３】
一方、亜鉛等を含む低密度のダストは、サイロＣに送られ、必要に応じて造粒機（図示省略）によって造粒された後、廃棄されたり、回収業者に引き渡され亜鉛の回収がなされている（例えば、特許文献１参照）。
【０００４】
ところで、電気炉への挿入物であるＡプレス（廃自動車の二次解体後のガラ）、廃自動車のシュレッダダスト、医療廃棄物等には、ポリ塩化ビニル等の塩素を含有する樹脂類が含まれている場合が多く、これらの樹脂類から発生するダイオキシン類が集塵機Ｓから排出されるダストに含有されている。
そして、このようなダイオキシン類を含有しているダストを、そのまま廃棄したり、回収業者に引き渡すことは、環境に対しても、また、衛生上も好ましくない。
また、集塵機Ｓから排出されるダストは、含水率が高く、分級器に付着しやすく、分級を効率よく行うことができないという問題があった。
【特許文献１】特許第３３１７１３１号公報
【発明の開示】
【発明が解決しようとする課題】
【０００５】
本発明は、上記従来の電気炉ダストのリサイクル方法の有する問題点に鑑み、電気炉から排出される排ガスを集塵機で濾過した際に生じるダストに含まれるダイオキシン類を無害化するとともに、分級器による分級を効率よく行うことができるようにした電気炉ダストのリサイクル方法を提供することを目的とする。
【課題を解決するための手段】
【０００６】
上記目的を達成するため、本発明の電気炉ダストのリサイクル方法は、電気炉から排出される排ガスを集塵機で濾過し、該集塵機から排出されるダストを分級器によって酸化鉄等を含む高密度のダストと亜鉛等を含む低密度のダストとに分級して、前記酸化鉄等を含む高密度のダストを電気炉に戻す電気炉ダストのリサイクル方法であって、前記集塵機から排出されるダストをマイクロ波処理装置によって加熱処理し、その後、分級器に送ることを特徴とする。
【発明の効果】
【０００７】
本発明の電気炉ダストのリサイクル方法によれば、集塵機から排出されるダストをマイクロ波処理装置によって加熱処理し、その後、分級器に送るようにすることにより、分級器に送る前にマイクロ波によってダストを加熱し、ダイオキシン類を無害化することができるとともに、ダストを乾燥させることができ、ダストの分級器への付着をできるだけ少なくして、無害化されたダストを分級器で効率よく分級することができる。
【発明を実施するための最良の形態】
【０００８】
以下、本発明の電気炉ダストのリサイクル方法の実施の形態を、図面に基づいて説明する。
【実施例１】
【０００９】
図１に、本発明の電気炉ダストのリサイクル方法の一実施例を示す。
この電気炉ダストのリサイクル方法は、電気炉Ｘから排出されるダストを含む排ガスを、吸引ファンＦによって、集塵機Ｓ（例えば、バグ式集塵機等）に導入し、集塵機Ｓから排出されるダストをマイクロ波処理装置１に搬送し、マイクロ波処理装置１内でダストを加熱処理した後、分級器Ｂに搬送し、分級器によって酸化鉄等を含む高密度のダストと亜鉛等を含む低密度のダストとに分級して、酸化鉄等を含む高密度のダストを、適宜手段、例えば、空気輸送装置Ａによって電気炉Ｘに戻すようにしている。
【００１０】
この電気炉ダストのリサイクル方法に使用するマイクロ波処理装置は、本出願人が先に特願２００５−３５３９３６号で提案した有機ハロゲン化合物等の有害物質を含有する固体の処理装置に使用しているマイクロ波処理装置を利用することができる。
【００１１】
このマイクロ波処理装置１は、有機ハロゲン化合物等の有害物質を含有するダストを導入する筐体２と、該筐体２内に導入したダストにマイクロ波を照射するマイクロ波照射機構３とを備えるようにしている。
集塵機から排出されるダストは、搬送装置（図示省略）によって、筐体２上部に配設した導入口２ａを介し、筐体２内に搬送される。
そして、筐体２の適所に配設したマイクロ波照射機構３（図例では上面１箇所に配設した例を示すが、上面及び側面に複数箇所配設するようにすることもできる。）からマイクロ波を照射し、ダストに含有しているダイオキシン類等の有害物質の分解処理を行う。
その後、筐体２の下部に配設した排出口２ｂを介し、搬送装置（図示省略）によって分級器Ｂに搬送するようにしている。
【００１２】
分級器Ｂは、ダストを、酸化鉄等を含む高密度のダストと亜鉛等を含む低密度のダストとに分級できるものであれば、方式や機構は限定されるものではないが、例えば、公知のサイクロン式分離装置を好適に用いることができる。
【００１３】
この電気炉ダストのリサイクル方法は、分級器Ｂに送る前工程で、集塵機Ｓから排出されるダストがマイクロ波処理装置１によって加熱されるが、ダストは水分を含んでいるからマイクロ波の照射による加熱効果が高く、また、加熱によって水分が蒸発し、ダストは加熱による無害化及び乾燥処理がなされる。
【００１４】
そして、無害化と乾燥処理がなされたダストは、分級器Ｂに送られて酸化鉄等を含む高密度のダストと亜鉛等を含む低密度のダストとに効率よく分級される。
【００１５】
その後、酸化鉄等を含む高密度のダストは、適宜手段、例えば、空気輸送装置Ａ、コンベア（図示省略）等の搬送装置によって電気炉Ｘに戻され、溶融処理がなされる。
【００１６】
一方、亜鉛等を含む低密度のダストは、サイロＣに送られ、必要に応じて造粒機Ｐによって造粒された後、廃棄されたり、回収業者に引き渡され亜鉛の回収がなされる。
そして、この亜鉛等を含む低密度のダストは、ダイオキシン類を含有していないため、そのまま廃棄したり、回収業者に引き渡しても、環境に対しても、また、衛生上も問題はない。
【００１７】
なお、本実施例でリサイクルされるダストには、集塵機Ｓから排出されるダストにとどまらず、電気炉Ｘから集塵機Ｓまでの経路から排出されるダスト、例えば、ダクト内に堆積し、ダクトを清掃した際に発生するダスト、ガスクーラ内に堆積し、その下方に配設したフラップダンパ等を介して排出されるダスト等も含まれ、集塵機Ｓから排出されるダストと同様に処理がなされる。
【００１８】
以上、本発明の電気炉ダストのリサイクル方法について、その実施例に基づいて説明したが、本発明は上記実施例に記載した構成に限定されるものではなく、その趣旨を逸脱しない範囲において適宜その構成を変更することができるものである。
【産業上の利用可能性】
【００１９】
本発明の電気炉ダストのリサイクル方法は、電気炉から排出される排ガスを集塵機で濾過した際に生じるダストに含まれるダイオキシン類を無害化するとともに、分級器による分級を効率よく行うことができることから、一般の電気炉設備におけるダストのリサイクル方法に好適に用いることができる。
【図面の簡単な説明】
【００２０】
【図１】本発明の電気炉ダストのリサイクル方法を示すフロー図である。
【図２】本発明の電気炉ダストのリサイクル方法に使用するマイクロ波処理装置の正面図である。
【図３】従来の電気炉ダストのリサイクル方法を示すフロー図である。
【符号の説明】
【００２１】
１  マイクロ波処理装置
Ｂ  分級器
Ｐ  造粒機
Ｓ  集塵機
Ｘ  電気炉
【図１】
2008101826.tif 000003
【図２】
2008101826.tif 000004
【図３】
2008101826.tif 000005